(57)【要約】      （修正有）【課題】南京錠を取り付け可能で、防水性を向上した扉開閉用ハンドルを提供する。【解決手段】ベース部１の錠取付軸部３は、ハンドル部２をベース部１へ伏せた状態のときハンドル部２の貫通孔４へ入る。錠取付軸部３は貫通孔４へ入ったときに先端側をハンドル部２表面から露出させる露出部を備える。露出部は、貫通部を備え、貫通部へ錠のツルが通される。錠取付軸部３は、ベース部１と別体に形成されると共に基部側に固定具取付用基板を備え、基板をベース部へネジ止めすることによって、錠取付軸部がベース部へ固定される。ベース部１は、錠取付軸部の上記固定具取付用基板と対応する被取付部を備える。受容部は、連続部により、ネジをベース部裏面から露出させない。【選択図】図１
0003161336.tif 000002
【実用新案登録請求の範囲】
【請求項１】
扉に取り付けられるベース部と、ベース部に対して起伏可能に設けられたハンドル部とを有し、ベース部が、ハンドル部の受容空間を提供する受容部を備えた、扉開閉用ハンドルにおいて、
ベース部は、ハンドル部側へ突出する錠取付軸部を備え、
ハンドル部は、ベース部側からベース部と反対側へ向けて貫通する貫通孔を備え、
上記錠取付軸部は、ハンドル部をベース部へ伏せた状態のとき、上記貫通孔へ入るものであり、錠取付軸部は、貫通孔へ入った状態において先端側をハンドル部表面から外部へ露出させる露出部を備え、
錠取付軸部の露出部は、錠取付軸部の軸方向と交差する方向に貫通する貫通部を備え、当該貫通部へ施錠部材が通されることによって、伏せた状態のハンドル部が起こされるのを防止するものであり、
錠取付軸部は、上記受容空間内において、受容部に設けられたものであり、
上記受容部の各部は、厚みが連続する連続部を備えることにより、受容部全体を液密なものとし、錠取付軸部を設けることによって液密性が損なわれていないものであることを特徴とする扉開閉用ハンドル。
【請求項２】
錠取付軸部は、ベース部と別体に形成されると共に基部側に固定具取付用基板を備え、固定具取付用基板をベース部へネジ等の固定具にて止めることにより、錠取付軸部がベース部へベース部と一体に固定されるものであり、
ベース部は、錠取付軸部の上記固定具取付用基板と対応する被取付部を備え、
被取付部が、固定具取付用基板の表面から裏面にかけて貫通する固定具の、固定具取付用基板裏面から突出する突出幅よりも、大きな厚みを備えることにより、固定具先端とベース部裏面との間に上記連続部が介在し、固定具をベース部裏面から露出させないものであることを特徴とする請求項１記載の扉開閉用ハンドル。
【請求項３】
ハンドル部は、ベース部にハンドル部の一端が軸止されて軸部に対して回動することにより、起伏可能とされたものであり、
上記被取付部は、受容空間内において、受容部の底に設けられたものであり、受容部の当該底において他の部分より隆起した部分であることを特徴とする請求項２記載の扉開閉用ハンドル。
【請求項４】
受容部は、被取付部を挟んで被取付部よりも高く隆起する第１及び第２の二つのガイド部を備え、
第１及び第２の二つのガイド部は、錠取付軸部の取り付け時、錠取付軸部の上記固定具取付用基板の、被取付部への配置を案内することを特徴とする請求項３記載の扉開閉用ハンドル。
【請求項５】
施錠部材は、ツル付き錠であり、当該ツル付き錠のツルが、錠取付軸部の露出部の、上記貫通孔に通されるものであることを特徴とする請求項４記載の扉開閉用ハンドル。
【考案の詳細な説明】
【技術分野】
【０００１】
本願考案は、扉開閉用ハンドルの改良に関するものである。
【背景技術】
【０００２】
従来から、配電盤収納ボックス等、各種の扉に取り付けるための扉開閉用ハンドルが広く用いられている（特許文献１〜３）。最近では、平面スイングハンドルと呼ばれ、扉に取り付けられるベース部と、ベース部に対して起伏自在に設けられたハンドル部とを備え、ハンドル部が平らな板状に形成され伏せた状態においてベース部の受容部に受容されて扉表面からの突出幅を押さえられると共に、起伏させるための回動とは別に、起こされた錠にて先端を扉表面に沿って回動することができるようにされたものも見受けられる。
平面スイングハンドルを含め、扉開閉用のハンドルは、ロックハンドルとして、錠を備えたものが普及しているが、更に、セキュリティを高めたいとの要求や、またロックハンドルでないものについて、南京錠などの別途市販の錠を使って簡便にセキュリティを向上できないかとの要求が生じている。
【先行技術文献】
【特許文献】
【０００３】
【特許文献１】特開２００１−１４０５１０号公報
【特許文献２】特開２００１−３１７２４０公報
【特許文献３】特開２００３−２６９０１６公報
【考案の概要】
【考案が解決しようとする課題】
【０００４】
このため、本願の考案者は、図３（Ａ）（Ｂ）へ示すように、ベース部１にハンドル部２側へ突出する錠取付軸部３を備え、ハンドル部２にベース部１側からベース部１と反対側へ向けて貫通する貫通孔４を備え、ハンドル部２をベース部１へ伏せた状態のとき上記錠取付軸部３を上記貫通孔４へ入れ且つ先端側をハンドル部２表面から外部へ露出させる露出部３０を備えた扉開閉用のハンドルを考え、この錠取付軸部３の露出部３０に、錠取付軸部３の軸方向と交差する方向に貫通する貫通部３１を設け、当該貫通部３１へ南京錠などのツル付き錠ｎのツルｎ１を通すことによって、伏せた状態のハンドル部が起こされるのを防止しようと考えた。
そして、本願の考案者は、図３（Ｃ）へ示す通り、ベース部１と別体に形成された錠取付軸部３のベース部１への固定については、錠取付軸部３の基部側にネジ取付用基板３２を設けて、ベース部１の裏面外部からベース部１を貫通するネジ５（ボルト）にて受容部内のネジ取付用基板３２をネジ止めすることにより行うことを考えた。
しかし、配電盤の収容ボックスの扉用ハンドルなどでは、配電盤の収容ボックス内に水分を侵入させないために、ネジ５とベース部１の当該ネジを通す部分との間にパッキンの装着やグリスの塗布などの防水手段を講ずる必要がある。また、このような防水手段を講じたとしても完全に水分の浸入を防止できるとは言えなかった。
【０００５】
そこで、本願考案は、防水性を向上した扉開閉用ハンドルの提供を目的とする。
【課題を解決するための手段】
【０００６】
本願の請求項１に係る考案は、扉に取り付けられるベース部と、ベース部に対して起伏可能に設けられたハンドル部とを有し、ベース部が、ハンドル部の受容空間を提供する受容部を備えた扉開閉用ハンドルについて、次の構成を採るものを提供する。
即ち、ベース部は、ハンドル部側へ突出する錠取付軸部を備える。ハンドル部は、ベース部側からベース部と反対側へ向けて貫通する貫通孔を備える。上記錠取付軸部は、ハンドル部をベース部へ伏せた状態のとき、上記貫通孔へ入るものであり、錠取付軸部は、貫通孔へ入った状態において先端側をハンドル部表面から外部へ露出させる露出部を備える。錠取付軸部の露出部は、錠取付軸部の軸方向と交差する方向に貫通する貫通部を備え、当該貫通部へツル付き錠のツルが通されることによって、伏せた状態のハンドル部が起こされるのを防止する。錠取付軸部は、上記受容空間内において、受容部に設けられたものであり、上記受容部の各部は、厚みが連続する連続部を備えることにより、受容部全体を液密なものとし、錠取付軸部を設けることによって液密性が損なわれていないものである。
【０００７】
本願の請求項２に係る考案では、本願の請求項１に係る考案にあって、錠取付軸部は、ベース部と別体に形成されると共に基部側に固定具取付用基板を備え、基板をベース部へネジ等の固定具にて止めることによって、錠取付軸部がベース部へベース部と一体に固定される。ベース部は、錠取付軸部の上記固定具取付用基板と対応する被取付部を備える。被取付部が、固定具取付用基板の表面から裏面にかけて貫通する固定具の、固定具取付用基板裏面から突出する突出幅よりも、大きな厚みを備えることにより、固定具先端とベース部裏面との間に上記連続部が介在し、ネジをベース部裏面から露出させない。
【０００８】
本願の請求項３に係る考案では、本願の請求項２に係る考案にあって、ハンドル部は、ベース部にハンドル部の一端が軸止されて軸部に対して回動することにより、起伏可能とされたものであり、上記被取付部は、受容空間内において、受容部の底に設けられたものであり、受容部の当該底において他の部分より隆起した部分であることを特徴とする扉開閉用ハンドルを提供する。
【０００９】
本願の請求項４に係る考案では、本願の請求項３に係る考案にあって、受容部は、被取付部を挟んで被取付部よりも高く隆起する第１及び第２の二つのガイド部を備え、第１及び第２の二つのガイド部は、錠取付軸部の取り付け時、錠取付軸部の上記固定具取付用基板の、被取付部への配置を案内することを特徴とする扉開閉用ハンドルを提供する。
本願の請求項５に係る考案では、本願の請求項４に係る考案にあって、施錠部材は、ツル付き錠であり、当該ツル付き錠のツルが、錠取付軸部の露出部の、上記貫通孔に通されるものである扉開閉用ハンドルを提供する。
【考案の効果】
【００１０】
本願の請求項１〜５の考案は、折りたたみ式の扉開閉用ハンドルにおいて、南京錠等の施錠部材を取り付ける錠取付軸部をベース部に形成するに際して、ベース部の受容部を、連続部にて液密に形成し、防水性を向上させ、錠取付軸部の固定のために別途防水手段を講ずる必要をなくした。
特に本願の請求項２〜４の考案は、被取付部は、固定具取付用基板の表面から裏面にかけて貫通するネジ等の固定具をベース部裏面から露出させない、即ち、上記連続部の介在により、ネジ等の固定具をベース部から貫通させないものとして、ネジ等の固定具とベース部間で、水分が通る余地を完全に排除した。従って、このようなネジとベース部との完全防水により、別途防水手段を講ずる必要もなくした。
特に本願の請求項３の考案は、製造時において、上記被取付部を、受容部の当該底において他の部分より隆起した部分とすることによりネジを受ける部分の幅を拡大して、ネジ等の固定具をベース部から貫通させないものとしても、ネジ等の固定具の固定を確実に行えるものとした。
更に、本願の請求項４の考案は、製造時において、被取付部を受容部の底から隆起するものとしても、第１及び第２のガイド部により、固定具取付用基板を被取付部の先に確実に配置することができ、製造効率を向上した。また、使用時において、ハンドルの使用による振動を受けても、第１及び第２のガイド部が、取付用基板を挟んだ状態として取付用基板の動きを規制し、ネジ等の固定具の弛みを誘発するのを抑制することができる。
【図面の簡単な説明】
【００１１】
【図１】（Ａ）は本願考案に係る扉開閉用ハンドルの側面図、（Ｂ）は当該ハンドルに南京錠を取り付けた正面図、（Ｃ）は南京錠を取り外した正面図。
【図２】（Ａ）は図１（Ａ）のハンドルのハンドル部を開いた状態の一部切欠側面図、（Ｂ）は（Ａ）の斜視図。
【図３】（Ａ）は本願考案の解決課題とした扉開閉用ハンドルの側面図、（Ｂ）は（Ａ）のハンドルの正面図、（Ｃ）は（Ｂ）のＺ−Ｚ断面図。
【考案を実施するための形態】
【００１２】
以下、図面に基づき本願考案の実施の形態を説明する。
尚、以下の説明において、上下方向は、扉にハンドルを取り付けた状態における上下方向を指す。
図１及び図２へ示す通り、この扉開閉用ハンドルは、ベース部１と、ハンドル部２とを備える。この実施の形態において、扉開閉用ハンドルとして、ハンドル部２へシリンダ錠７を備えるロックハンドルを例示する。
以下各部の構成について詳しく説明する。
【００１３】
ベース部１は、配電盤の扉などの扉に固定されるものであり、ハンドル部２を受容する受容空間を提供する、受容部１０を備える。扉にベース部１が取り付けられた状態において、受容部１０は、扉の正面側に向け開口する。
【００１４】
ハンドル部２は、長尺の板状体である。ハンドル部２の一端（基端）がベース部１に軸止されることにより、ハンドル部２は、ベース部１に対して起伏可能に設けられている。
【００１５】
ハンドル部２は、バネなどの弾性部材（図示しない。）にて、ベース部１から起立する方向即ち開く方向に常時付勢されている。
ベース部１は、伏せた状態のハンドル部２の先端側を係止すると共に指先で押すことによって当該係止を解除するボタン部６を備える。
また、ベース部１は、ハンドル部２側へ突出する棒状の錠取付軸部３を備える。ハンドル部２は、ベース部１側からベース部１と反対側へ向けて貫通する貫通孔４を備える。
【００１６】
上記錠取付軸部３は、ハンドル部２をベース部１へ伏せた状態のとき、上記貫通孔４へ入る（図１（Ａ）（Ｂ））。錠取付軸部３は、貫通孔４へ入った状態において先端側にハンドル部２表面から外部へ露出させる露出部３０を備える（図１（Ａ）及び図２）。
錠取付軸部３の露出部３０は、錠取付軸部３の軸方向と交差する方向に貫通する貫通部３１を備える。
この貫通部３１へ、施錠部材として、南京錠などのツル付き錠ｎのツルｎ１が通されることによって、伏せた状態のハンドル部２が起こされるのを防止する（図１（Ｂ））。
【００１７】
この実施の形態において、錠取付軸部３１は、ベース部１と別体に形成されたものであり、基部側に固定具取付用基板３２を備える。固定具取付用基板３２をベース部１へネジ等の固定具５，５にて止めすることにより、錠取付軸部３１がベース部１へ固定される（図２）。この実施の形態において、取付用基板３２をベース部１へ止める固定具５，５であるネジは、２本であるが、１本であっても、３本以上であっても実施できる。また、固定具５は、ネジに限定するもではなく、ボルトや、打ち込み用のピンであっても実施できる。
【００１８】
受容部１０の各部は、厚みが連続する連続部ｈを備えるものであり、連続部ｈは、受容部１０全体を液密にしている。
ベース部１は、錠取付軸部３の上記固定具取付用基板３２と対応する被取付部１１を備える。
被取付部１１は、固定具取付用基板３２の表面から裏面にかけて貫通する固定具５，５の、固定具取付用基板３２裏面から突出する突出幅ｗ２よりも、大きな厚みｗ１を備えることにより、固定具先端とベース部裏面との間に必ず上記連続部ｈが介在し、固定具５，５をベース部１裏面から露出させない（図２（Ａ））。
この実施の形態において、被取付部１１は、受容部１０内において、受容部１０の底に設けられており、受容部１０の当該底において他の部分より隆起した部分として形成されている。
【００１９】
更に、受容部１０は、被取付部１１を挟んで被取付部１１よりも高く隆起する第１及び第２の二つのガイド部１２，１３を備える（図２）。
第１及び第２の二つのガイド部１２，１３は、錠取付軸部の取り付け時、錠取付軸部３１の上記固定具取付用基板３２の、被取付部１１への配置を案内する。
この実施の形態において、第１ガイド部１２は、被取付部１１の上方に位置して被取付部１１に沿い、第２ガイド部１３は、被取付部１１の下方に位置して被取付部１１に沿うものである。
【００２０】
被取付部１１の上下の幅は、被取付部１１に配置される固定具取付用基板３２の上下の幅と等しいか固定具取付用基板３２の上下の幅より若干小さく、製造時、固定具取付用基板３２を、被取付部１１に配置される際、第１及び第２のガイド部１２，１３に沿って、受容部１０の奥へ向け移動させれば、確実に被取付部１１に固定具取付用基板３２を配置することができる。
【００２１】
上記の実施の形態において、第１及び第２のガイド部１２，１３は、被取付部１１の上下に配置するものとしたが、第１及び第２のガイド部１２，１３は、被取付部１１の左右に配置されるものとしても実施できる。
扉開閉用ハンドルは、ロックハンドルとしたが、シリンダ錠７を備えないものであっても実施できる。
また、上記の実施の形態において、扉開閉用ハンドルは、配電盤ボックスの扉に設けられるものを例示したが、他の用途の扉に設けられるものとしても実施できる。
更に、上記のツル付き錠ｎは、ツルを備えた錠であれば、南京錠以外の錠であっても実施できる。例えばダイヤル錠であっても実施できる。また、ツルは、Ｕ字に湾曲したものに限定するものではなく、閂状の直線的なものであっても実施できる。
また、施錠部材は、ハンドルと別体に形成されたものであればよく、上記のツル付き錠ｎに限定するものではない。例えばチェーン錠のチェーンが、上記錠取付軸部３の貫通孔３１へ通されるものであっても実施できる。また、施錠部材は、錠前単体で構成されるものに限定するものではなく、例えば南京錠と鎖とを組み合わせるものとして、鎖を上記上記錠取付軸部３の貫通孔３１へ通し、鎖の両端を南京錠で繋いで、鎖を環状にするものとしても実施できる。
【００２２】
上記の実施の形態において、錠取付軸部３は、ベース部１と別体に形成されたものであり、ネジなどの固定具５によってベース部１の受容部１０へ取り付けられるものを示した。但し、固定具先端とベース部裏面との間に上記連続部ｈが介在するものであればよく、ネジなどの固定具を用いる以外に、錠取付軸部を、嵌め殺しの構造にてベース部に設けたり、溶接によってベース部に設けたりすることができる。
この他、錠取付軸部３は、ベース部１と一体に形成されたものであっても実施できる。具体的には、この扉開閉用ハンドルの製造時において、錠取付軸部３を、ベース部１の成形の際にベース部１と一体成形して設けることができる（図示は省略する）。
この場合、ベース部１の上記受容部１０内において、当該受容部１０の底に錠取付軸部３を一体に形成し、当該受容部１０の底からハンドル部２側へ突出するようにすればよい。
ベース部１へ錠取付軸部３を一体成形することによっても、上記図３へ示すハンドルのように、ネジ５，５をベース部１に貫通させる必要がないので、防水性を向上し、防水手段を別途講ずることを不要とした。
上記の通り、錠取付軸部３を一体成形により、ベース部１へ設ける場合、上記図２へ示す実施の形態の固定具取付３２と被取付部１１とを一体にした形状の隆起部を、錠取付軸部３の基部側にベース部１及び錠取付軸部３と一体に形成するものとし、錠取付軸部３の基部側の軸方向と交差する断面について断面積を錠取付軸部３の先端側の断面積より大きいものとして、錠取付軸部３の補強をなすものとしても実施できる。
この場合特に、このような隆起部へ、図２の第１及び第２のガイド部１２，１３に相当する部分を一体に形成して、上記の補強をより強固にすることができる。
錠取付軸部３をベース部１へ一体成形したハンドルの図示は省略したが、当該ハンドルについては、外観上、図２（Ｂ）へ示すハンドルにおいて、固定具取付基板１３と被取付部１１と第１及び第２のガイド部１２，１３との境界線がなく、固定具５，５と当該固定具５，５の取り付け穴がないものと考えればよい。
【符号の説明】
【００２３】
１  ベース部
２  ハンドル部
３  錠取付軸部
４  貫通孔
【図１】
0003161336.tif 000003
【図２】
0003161336.tif 000004
【図３】
0003161336.tif 000005